(57)【特許請求の範囲】
【請求項１】
デジタル回路により出力されたデジタル信号を無線通信信号に変換する送信経路、
前記送信経路に通信可能に結合され、前記送信経路に関連する１又は複数の動作パラメータを監視し制御する制御経路、
を有し、
前記制御経路は、
前記無線通信信号を受信するコヒーレント受信機、
前記コヒーレント受信機に電気的に結合され、前記コヒーレント受信機のためにバイアス電流を生成するバイアス回路、
を有し、
前記バイアス電流は、
前記バイアス回路に供給されるバンドギャップ電圧を、前記コヒーレント受信機に統合されたプロセス抵抗値にほぼ整合するよう選択された抵抗値で除算したものから、
温度に依存する電流を所定の倍率で乗算したものを減算したものに等しい、
無線通信要素。
【請求項２】
前記温度に依存する電流は、正電流、負電流又はゼロ電流を含む、請求項１に記載の無線通信要素。
【請求項３】
前記温度に依存する電流は、特定の温度でゼロに等しい、請求項１に記載の無線通信要素。
【請求項４】
前記特定の温度は、室温にほぼ等しい、請求項３に記載の無線通信要素。
【請求項５】
前記コヒーレント受信機は、
前記無線通信信号を、前記デジタル信号を前記無線通信信号にアップコンバートするために用いられた発振器信号に基づき、ダウンコンバートされた信号にダウンコンバートするダウンコンバータ、
前記ダウンコンバートされた信号を第２のデジタル信号に変換するアナログ−デジタルコンバータ、
を有し、
前記アナログ−デジタルコンバータは、前記バイアス電流によりバイアスされる、
請求項１に記載の無線通信要素。
【請求項６】
前記アナログ−デジタルコンバータのフィードバックデジタル−アナログコンバータは、前記バイアス電流によりバイアスされ、前記フィードバックデジタル−アナログコンバータが前記バイアス電流に比例する電流を出力するようにする、請求項５に記載の無線通信要素。
【請求項７】
前記コヒーレント受信機は、温度の関数である動作パラメータを有する１又は複数の要素を備える、請求項１に記載の無線通信要素。
【請求項８】
前記所定の倍率は、少なくとも前記コヒーレント受信機の動作の特性に基づく、請求項１に記載の無線通信要素。
【請求項９】
バンドギャップ電圧を受信機に統合されたプロセス抵抗値にほぼ整合するよう選択された抵抗値で除算したものに等しい第１の電流を生成するステップ、
温度に依存する電流を所定の倍率で乗算したものに等しい第２の電流を生成するステップ、
前記第２の電流を前記第１の電流から減算し、バイアス電流を生成するステップ、
前記バイアス電流を前記受信機に供給するステップ、
を有する方法。
【請求項１０】
前記温度に依存する電流は、正電流、負電流又はゼロ電流を含む、請求項９に記載の方法。
【請求項１１】
前記温度に依存する電流は、特定の温度でゼロに等しい、請求項９に記載の方法。
【請求項１２】
前記特定の温度は、室温にほぼ等しい、請求項１１に記載の方法。
【請求項１３】
前記バイアス電流を前記受信機に供給するステップは、前記バイアス電流を前記受信機のアナログ−デジタルコンバータに供給するステップを有する、請求項９に記載の方法。
【請求項１４】
前記バイアス電流を前記受信機のアナログ−デジタルコンバータに供給するステップは、前記バイアス電流を前記アナログ−デジタルコンバータのフィードバックデジタル−アナログコンバータに供給するステップであって、前記フィードバックデジタル−アナログコンバータが前記バイアス電流に比例する電流を出力するようにする、ステップを有する、請求項１３に記載の方法。
【請求項１５】
前記受信機は、温度の関数である動作パラメータを有する１又は複数の要素を備える、請求項９に記載の方法。
【請求項１６】
前記所定の倍率は、少なくとも前記受信機の動作の特性に基づく、請求項９に記載の方法。
【請求項１７】
バンドギャップ電圧を受信機に統合されたプロセス抵抗値にほぼ整合するよう選択された抵抗値で除算したものに等しい第１の電流を生成するバイアス基準電流部、
温度に依存する電流を所定の倍率で乗算したものに等しい第２の電流を生成する温度基準電流部、
前記第１の電流から前記第２の電流を減算したものに等しいバイアス電流を生成するミラー部、
を有するバイアス回路。
【請求項１８】
前記温度に依存する電流は、正電流、負電流又はゼロ電流を含む、請求項１７に記載のバイアス回路。
【請求項１９】
前記温度に依存する電流は、特定の温度でゼロに等しい、請求項１７に記載のバイアス回路。
【請求項２０】
前記温度基準電流部は、
周囲温度に比例する電流を生成する絶対温度に比例する電流回路、
温度と独立な電流を生成する温度と独立な電流源、
前記第２の電流を生成するために、前記温度と独立な電流を前記周囲温度に比例する電流から減算する加算器、
を有する、請求項１７に記載のバイアス回路。
【発明の詳細な説明】
【技術分野】
【０００１】
本発明は、概して無線通信に関し、より詳細には、無線通信装置内のコヒーレント受信機の熱依存の低減又は除去するに関する。
【背景技術】
【０００２】
無線通信システムは、種々の電気通信システム、テレビジョン、ラジオ及び他のメディア・システム、データ通信ネットワーク及び他のシステムで用いられ、無線送信機及び無線受信器を用いて遠隔地点間で情報を伝達する。送信機は、通常、アンテナを用いて無線、テレビジョン又は他の電気通信のような電磁信号を伝搬する電子機器である。送信機は、デジタル信号をエンコードし、無線周波数信号にアップコンバートし、そして信号増幅器へ渡すデジタル信号処理回路を含む場合が多い。信号増幅器は、無線周波数を受信し、その信号を所定の利得により増幅し、そして増幅した信号をアンテナを通じて送信する。他方で、受信機は、通常、アンテナを用いて無線電磁信号を受信し処理する電子機器である。特定の例では、送信機及び受信機は通信機と称される単一の装置に結合されてもよい。
【０００３】
無線通信装置は、送信機及び受信機に加えて、送信機を監視及び制御するためのフィードバック制御経路の一部としてコヒーレント受信機を有し得る。例えば、このようなフィードバック制御経路は、送信経路内の位相シフトの監視のために、送信経路の出力電力強度及び／又は他のパラメータを提供し得る。さらに、このような監視に基づき、制御経路は、送信経路内での所望の動作を提供するために、動作パラメータを制御し得る。  正確な監視及び制御を保証するために、フィードバック制御経路の利得特性は、温度に対して実質的に一定に維持されなければならない。
【発明の概要】
【発明が解決しようとする課題】
【０００４】
無線通信装置のコヒーレント受信機の熱依存を低減又は除去するシステム及び方法を提供する。
【課題を解決するための手段】
【０００５】
本発明の幾つかの実施形態によると、方法は、バンドギャップ電圧を、受信機に統合されたプロセス抵抗値にほぼ整合するよう選択された抵抗値により除算したものと等しい第１の電流を生成するステップを有し得る。方法は、温度に依存する電流を所定の倍率により乗算したものと等しい第２の電流を生成するステップを更に有し得る。方法は、前記第１の電流から前記第２の電流を減算してバイアス電流を生成するステップも有し得る。方法は、前記受信機に前記バイアス電流を供給するステップを更に有してもよい。
【０００６】
本開示の他の技術的利点は、添付の図面、説明、及び特許請求の範囲から当業者に直ちに明らかである。
【０００７】
本開示並びにその特徴及び利点のより完全な理解のため、添付の図と共に以下の説明を参照する。
【図面の簡単な説明】
【０００８】
【図１】本開示の特定の実施形態による例示的な無線通信システムのブロック図を示す。
【図２】本開示の特定の実施形態による例示的な送信及び／又は受信要素の選択された構成要素のブロック図を示す。
【図３】本開示の特定の実施形態によるフィードバック制御経路の特定の構成要素のためのバイアス回路と共に、図２に示された無線通信要素のフィードバック制御経路の選択された構成要素のブロック図を示す。
【図４】本開示の特定の実施形態による例示的なダウンコンバータ／増幅器の選択された構成要素のブロック図を示す。
【発明を実施するための形態】
【０００９】
図１は、本開示の特定の実施形態による例示的な無線通信システム１００のブロック図を示す。簡単のため、２つの端末１１０及び２つの基地局１２０のみが図１に示される。端末１１０は、遠隔局、移動局、アクセス端末、ユーザ機器（ＵＥ）、無線通信機器、携帯電話又は特定の他の用語として表されてもよい。基地局１２０は、固定局であってもよく、アクセス・ポイント、ＮｏｄｅＢ又は特定の他の用語として表されてもよい。
【００１０】
端末１１０は、衛星１３０からの信号を受信できてもできなくてもよい。衛星１３０は、衛星測位システム、例えば良く知られたＧＰＳ（Global  Positioning  System）等に属してもよい。各ＧＰＳ衛星は、地上にあるＧＰＳ受信機にＧＰＳ信号の到着時間を測定させる情報でエンコードされたＧＰＳ信号を送信してもよい。十分な数のＧＰＳ衛星に対する測定が用いられ、正確にＧＰＳ受信機の３次元位置を推定してもよい。端末１１０は、他の種類の送信元、例えばＢｌｕｅｔｏｏｔｈ(登録商標)送信機、Ｗｉ−Ｆｉ（Wireless  Fidelity）送信機、ＷＬＡＮ（wireless  local  area  network）送信機、ＩＥＥＥ８０２．１１送信機、及び任意の他の適切な送信機等からの信号を受信することができてもよい。
【００１１】
図１中、各端末１１０は、複数の送信元から同時に信号を受信するように示される。ここで、送信元は基地局１２０又は衛星１３０であってもよい。特定の実施形態では端末１１０は送信元であってもよい。通常、端末１１０は、ゼロ、１つ又は複数の送信元から任意の瞬間に信号を受信してもよい。
【００１２】
システム１００は、ＣＤＭＡ（Code  Division  Multiple  Access）システム、ＴＤＭＡ（Time  Division  Multiple  Access）システム、又は特定の他の無線通信システムであってもよい。ＣＤＭＡシステムは、１又は複数のＣＤＭＡ標準、例えばＩＳ−９５、ＩＳ−２０００（一般的に「１ｘ」としても知られている）、ＩＳ−８５６（一般的に「１ｘＥＶ−ＤＯ」としても知られている）、Ｗ−ＣＤＭＡ（Wideband-CDMA）等を実装してもよい。ＴＤＭＡシステムは、１又は複数のＴＤＭＡ標準、例えばＧＳＭ(登録商標)（Global  System  for  Mobile  Communications）等を実装してもよい。Ｗ−ＣＤＭＡ標準は３ＧＰＰとして知られているコンソーシアムにより定められる。また、ＩＳ−２０００及びＩＳ−８５６標準は３ＧＰＰ２として知られているコンソーシアムにより定められる。
【００１３】
図２は、本開示の特定の実施形態による例である送信及び／又は受信要素２００（例えば、端末１１０、基地局１２０又は衛星１３０）の選択された構成要素のブロック図を示す。要素２００は、送信経路２０１、受信経路２２１及びフィードバック制御経路２４１を有してもよい。要素２００の機能に依存して、要素２００は送信機、受信機又は通信機と考えられる。
【００１４】
図２に示されるように、要素２００はデジタル回路２０２を有してもよい。デジタル回路２０２は、受信経路２２１及び／又はフィードバック制御経路２４１を介して受信されたデジタル信号及び情報を処理するよう構成された、及び／又は送信経路２０１を介して送信されるための信号及び情報を処理するよう構成された任意のシステム、機器又は装置を有してもよい。このようなデジタル回路２０２は、１又は複数のマイクロプロセッサ、デジタル信号プロセッサ及び／又は他の適切な素子を有してもよい。図２に示されるように、デジタル回路２０２は、デジタル信号の同相（Ｉ）チャネル成分及び直交（Ｑ）チャネル成分を送信経路２０１へ伝達してもよい。
【００１５】
送信経路２０１は、デジタル回路２０２により伝達されるＩチャネル信号及びＱチャネル信号のそれぞれのためにデジタル−アナログコンバータ（ＤＡＣ）を有してもよい。各ＤＡＣ２０４は、デジタル信号のそれぞれ対応するＩ又はＱチャネル成分をデジタル回路２０２から受信し、該デジタル信号をアナログ信号に変換するように構成されてもよい。このアナログ信号は、次に、送信経路２０１の、アップコンバータ２０８を含む１又は複数の他の構成要素へ渡されてもよい。
【００１６】
アップコンバータ２０８は、ＤＡＣ２０４から受信したアナログ信号を、発振器２１０により提供される発振器信号に基づく無線周波数の無線通信信号へ周波数アップコンバートするよう構成されてもよい。発振器２１０は、アナログ信号の無線通信信号への変調若しくはアップコンバージョンのため、又は無線通信信号のアナログ信号への復調若しくはダウンコンバージョンのために特定周波数のアナログ波形を生成するよう構成された任意の適切な装置、システム又は機器であってもよい。幾つかの実施形態では、発振器２１０はデジタル制御される水晶発振器であってもよい。
【００１７】
送信経路２０１は、アップコンバートされた信号を送信のために増幅する可変利得増幅器（ＶＧＡ）２１４、並びにアンテナ２１８を介して送信するためにアナログアップコンバートされた信号を更に増幅する電力増幅器２２０を有してもよい。電力増幅器２２０の出力は、デュプレクサ２２３へ伝達されてもよい。デュプレクサ２２３は、アンテナスイッチ２１６と送信経路２０１及び受信経路２２１の各々との間を接続してもよい。したがって、デュプレクサ２２３は、アンテナ２１８を通じた双方向通信（例えば、送信経路２０１からアンテナ２１８へ、及びアンテナ２１８から受信経路２２１へ）を可能にし得る。
【００１８】
アンテナスイッチ２１６は、デュプレクサ２２３とアンテナ２１８との間に結合されてもよい。アンテナスイッチ２１６は、２以上の電力増幅器（例えば、電力増幅器２２０と同様である）の出力を多重化するよう構成されてもよく、各電力増幅器は異なる帯域又は帯域クラスに対応してもよい。アンテナスイッチ２１６は、アンテナ２１８により受信された信号を、異なる帯域又は帯域クラスの複数の受信経路へと逆多重化することを可能にし得る。
【００１９】
アンテナ２１８は、増幅された信号をアンテナスイッチ２１６から（例えば、ＲＦカプラ２４２を介して）受信し、該信号を（例えば、端末１１０、基地局１２０及び／又は衛星１３０のうちの１又は複数へ）送信してもよい。図２に示されるように、アンテナ２１８は、送信経路２０１及び受信経路２２１の各々に結合されてもよい。
【００２０】
受信経路２２１は、無線通信信号を（例えば、端末１１０、基地局１２０及び／又は衛星１３０から）アンテナ２１８、アンテナチューナ２１７及びデュプレクサ２２３を介して受信するよう構成された低雑音増幅器２３４を有してもよい。ＬＮＡ２３４は、受信した信号を増幅するよう更に構成されてもよい。
【００２１】
受信経路２２１は、ダウンコンバータ２２８を有してもよい。ダウンコンバータ２２８は、アンテナ２１８を介して受信されＬＮＡ２３４により増幅された無線通信信号を、発振器２１０により供給された発振器信号により周波数ダウンコンバートする（例えば、ベースバンド信号にダウンコンバートする）ように構成されてもよい。受信経路２２１は、更にフィルタ２３８を有してもよい。フィルタ２３８は、対象の無線周波数チャネルの範囲内の信号成分を通過させ並びに／又はダウンコンバージョン処理により生成されうる雑音及び不要な信号を除去するために、ダウンコンバートされた無線通信信号をフィルタリングするよう構成されてもよい。さらに、受信経路２２１は、アナログ信号をフィルタ２３８から受信して該アナログ信号をデジタル信号に変換するように構成されたアナログ−デジタルコンバータ（ＡＤＣ）２２４を有してもよい。このデジタル信号は、次に処理のためにデジタル回路２０２へ渡されてもよい。
【００２２】
フィードバック制御経路２４１は、通常、送信経路２０１の１又は複数のパラメータ（例えば、利得、位相シフト等）を監視し、送信経路２０１の解析及び／又は制御のために、このようなパラメータを示すデジタル信号をデジタル回路２０２へ送信するよう構成されてもよい。例えば、被監視パラメータに基づき、デジタル回路は、送信経路２０２へ伝達されたＩチャネル信号及びＱチャネル信号を変更し、送信経路２０１の成分の利得パラメータを変更し、及び／又は他の動作を行ってもよい。
【００２３】
図２に示されるように、フィードバック制御経路２４１は、無線周波数（ＲＦ）カプラ２４２を有してもよい。ＲＦカプラ２４２は、アンテナスイッチ２１６をアンテナ２１８に結合する送信回線の送信電力の少なくとも一部を、１又は複数の出力ポートに結合するよう構成された任意のシステム、装置又は機器であってもよい。従来知られているように、出力ポートのうちの１つは、結合ポート（例えば、図２に示されたような結合ポート２４６）として知られ、他のポートは、終端又は独立ポート（例えば、図２に示されたような終端ポート２４７）として知られている。多くの場合、結合ポート２４６及び終端ポ―ト２４７の各々は、特定の抵抗値（例えば、５０オーム）の内部若しくは外部抵抗で終端されてもよい。ＲＦカプラ２４２の物理特性により、要素２００の動作中、結合ポート２４６は、アンテナ２１８へ送信された入力電力を示すアナログ信号（例えば、電圧）を伝達し、終端ポート２４７は、アンテナ２１８から反射された電力を示すアナログ信号（例えば、電圧）を伝達してもよい。
【００２４】
フィードバック制御経路２４１は、ＲＦカプラ２４２から伝達された信号を増幅し、その増幅された信号をダウンコンバータ／増幅器２４８へ伝達する可変利得増幅器（ＶＧＡ）２５４を有してもよい。
【００２５】
ダウンコンバータ／増幅器２４８は、ＶＧＡ２５４から受信したアナログ信号を、発振器２１０により供給される発振器信号により周波数ダウンコンバートし（例えば、ベースバンド信号にダウンコンバートし）、その信号の同相（Ｉ）チャネル成分及び直交（Ｑ）チャネル成分を出力するよう構成されてもよい。ダウンコンバータ／増幅器２４８の例示的な実施形態は、図４に示される。さらに、制御経路２４１は、Ｉチャネル及びＱチャネルのそれぞれのためにアナログ−デジタルコンバータ（ＡＤＣ）２４４を有してもよい。各ＡＤＣ２４４は、ベースバンド信号の適切な成分を受信し、その信号成分をデジタル信号成分に変換するよう構成される。ＡＤＣ２４４により出力された信号のデジタル成分は、処理のためにデジタル回路２０２へ伝達されてもよい。ＶＧＡ２５４、ダウンコンバータ２４６、ＡＤＣ２４４及び／又は他の構成要素は、一緒になって送信経路２０１に対してコヒーレントなコヒーレント受信機を構成し得る。
【００２６】
明確さと説明を目的として、無線通信要素２００のバイアス回路及び種々の構成要素の要素は図２に示されない。しかしながら、図３は、フィードバック制御経路２４１の特定の構成要素のブロック図を、フィードバック制御経路２４１の特定の構成要素のためのバイアス回路３０２と共に示す。明確さと説明のために、図３は、同相チャネルと直交チャネルの両者ではなく、１つのみの信号チャネルのためのフィードバック制御経路２４１内の信号経路を示す。
【００２７】
図３に示されるように、アナログ−デジタルコンバータ２４４は、加算器３０２、ループフィルタ３０４及びフィードバックＤＡＣ３０６を用いて実施され得る。加算器３０２は、ダウンコンバータ／増幅器２４８の出力からのアナログ信号をフィードバックＤＡＣ３０６の出力からのアナログ信号に加算するよう構成された任意のシステム、装置又は機器であってもよい。ループフィルタ３０４は、加算器３０２及びフィードバックＤＡＣ３０６と一緒に、ダウンコンバータ／増幅器２４８から受信したアナログ信号を受信したアナログ信号を示すデジタル信号に変換するよう構成された任意のシステム、装置又は機器であってもよい。ループフィルタ３０４は、積分器、デルターシグマ変調器及び／又は任意の他の適切な回路として実施されてもよい。フィードバックＤＡＣ３０６は、ループフィルタ３０４のデジタル出力を変換して、アナログ信号にする。このアナログ信号は、加算器３０２により、ダウンコンバータ２４８から受信されたアナログ信号から減算される。図３に示されるように、バイアス回路３０２は、フィードバックＤＡＣ３０６にバイアス電流を供給し、フィードバックＤＡＣ３０６の機能を有効にする。以下に詳細に記載されるように、バイアス回路３０２は、バイアス電流を生成して、温度に起因するフィードバック制御経路２４１の他の構成要素（例えば、ダウンコンバータ／増幅器２４８）の変動を相殺する。
【００２８】
図４は、本開示の特定の実施形態による例示的なダウンコンバータ／増幅器２４８の選択された構成要素のブロック図を示す。図４に示されるように、ダウンコンバータ／増幅器２４８は、抵抗性に生成された増幅器を形成するよう配置されたトランジスタ４０２及び抵抗値Ｒを有する抵抗器４０４を備えてもよい。幾つかの実施形態では、ダウンコンバータ／増幅器２４８は、ＲＦ信号をベースバンドにダウンコンバートするミキサ４０６を有してもよい。ベースバンド信号がダウンコンバータ／増幅器２４８への入力として受信される実施形態では、ダウンコンバータ／増幅器２４８はミキサ４０６を有しなくてもよい。
【００２９】
上述のように、フィードバック制御経路２４１の種々の構成要素の性能及び／又は特性は、温度と共に変化し得る。例えば、ダウンコンバータ／増幅器２４８の信号利得Ｇｍは、Ｖｂｇ／Ｒ−ＰＴＡＴ＊ｋの量に比例し得る。ここで、Ｖｂｇはダウンコンバータ／増幅器２４８にバイアス電流を供給するために提供されるバンドギャップ電圧であり、Ｒはダウンコンバータ／増幅器２４８内のプロセスに依存する抵抗値であり（例えば、図４に示される抵抗器４０４）、ＰＴＡＴは温度に依存する電流であり、ｋはダウンコンバータ／増幅器２４８の物理特性に基づくスカラ定数である。ダウンコンバータ／増幅器２４８及び／又はフィードバック制御経路２４１の他の構成要素の利得の温度依存を相殺するために、バイアス回路３０２は、温度に依存するバイアス電流を生成するよう構成され得る。
【００３０】
図３に示されるように、バイアス回路３０２は、加算器３１０及び３１２、スイッチ３１１、演算増幅器３１４、ミラートランジスタ３１６（例えば、トランジスタ３１６ａ及び３１６ｂ）、抵抗器３１８、周囲温度に比例する（proportional  to  ambient  temperature：ＰＴＡＴ）電流回路３２２、並びに温度独立電流回路（ＺＴＣ）３２４を有してもよい。
【００３１】
ＰＴＡＴ３２２は、このＰＴＡＴ３２２の近くの周囲温度に比例する電流を生成するよう構成された任意のシステム、装置又は機器を有してもよい。このような電流は、所定の倍率ｎの関数でもある。倍率ｎは、以下に詳細に記載されるように、フィードバック制御経路２４１の特性に基づき、調整可能なトリム（trim）により（例えば、可変抵抗器又は電位差計の抵抗値を調整することにより）設定されてもよい。ＺＴＣ３２４は、このＺＴＣ３２４の近くの周囲温度と独立な電流を生成するよう構成された任意のシステム、装置又は機器を有してもよい。このような電流は、所定の倍率ｎの関数でもある。
【００３２】
各加算器３１０は、ＺＴＣ３２４により生成された電流をＰＴＡＴ３２２により生成された電流から減算して、温度及び倍率ｎに依存する電流を出力するよう構成された任意のシステム、装置又は機器を有してもよい。このような電流は、特定の温度でほぼゼロになるだろう。ＰＴＡＴ３２２及び／又はＺＴＣ３２４は、特定の温度が所望の温度（例えば、約２７度Ｃの室温）であるように構成され得る。スイッチ３１１及び加算器３１２は、加算器３１２の出力が加算器３１０により出力される電流を調達するか（source）又は加算器３１０により出力される電流を引き込み（sink）、量ＰＴＡＴ＊ｎにより表される電流を生じるよう構成されてもよい。
【００３３】
演算増幅器３１４は、差動入力、並びにシングルエンド又は差動出力（図３にはシングルエンド出力が示される）を有する任意のシステム、装置又は機器を有してもよい。この出力は、入力端子間の電位差の倍数である。図３に示されるように、演算増幅器３１４の負入力端子は、バンドギャップ電圧Ｖｂｇを供給され、正入力端子は加算器３１２、抵抗器３１８及びミラートランジスタ３１６ａの活性領域端子（例えば、ソース、ドレイン、エミッタ、コレクタ）に結合され得る。出力端子は、ミラートランジスタ３１６の各々のゲートに結合され得る。
【００３４】
ミラートランジスタ３１６は、任意の適切なトランジスタを有してもよい。トランジスタ３１６は、図３の特定の実施形態では、ｎ型金属酸化膜半導体電界効果トランジスタ（ＭＯＳＦＥＴ）として示される。図３に示されるように、トランジスタ３１６は、互いに結合され、レール（rail）電圧（例えば、ＶＤＤ）に該トランジスタ３１６の活性領域端子（例えば、ソース、ドレイン、エミッタ、コレクタ）のうちの１つが結合され、互いに及び演算増幅器３１４の出力に該トランジスタ３１６の非活性領域端子（例えば、ベース、コレクタ）が結合されてもよい。当業者は、このように構成されるとき、ミラートランジスタ３１６が電流ミラーを形成し、トランジスタ３１６ｂの種々の端子により調達される電流及びそれを通じて流れる電流が、トランジスタ３１６ａの種々の端子により調達される電流及びそれを通じて流れる電流とほぼ等しくなることを理解するだろう。
【００３５】
抵抗器３１８は、任意の適切な抵抗性回路素子を有してもよい。幾つかの実施形態では、抵抗器３１８は、ダウンコンバータ／増幅器２４８及び／又はフィードバック制御経路２４１の他の構成要素内に存在するプロセス（process）抵抗値に基づく抵抗値Ｒを有するよう選択されてもよい。図３に示されるように、抵抗器３１８は、演算増幅器３１４の正入力端子とレール電圧（例えば、ＶＳＳ）との間に結合されてもよい。当業者は、このように構成されるとき、演算増幅器３１４の性入力端子に現れる電圧、したがってノードＡに現れる電圧が、Ｖｂｇにほぼ等しくなることを理解するだろう。したがって、抵抗器３１８を通じて流れる電流は、Ｖｂｇ／Ｒにほぼ等しい。したがって、キルヒホッフの電流の法則を満たすため、トランジスタ３１６ａを通じて流れる電流は、Ｖｂｇ／Ｒ−ＰＴＡＴ＊ｎにほぼ等しい。トランジスタ３１６ｂは、トランジスタ３１６ａの電流をミラーする。この電流は、バイアス電流としてＡＤＣ２４４（例えば、バイアス電流としてフィードバックＤＡＣ３０６に）供給され得る。したがって、フィードバックＤＡＣ３０６及び／又はＡＤＣ２４４の他の構成要素に供給されるバイアス電流は、約Ｖｂｇ／Ｒにほぼ中心を置き、倍率ｎの関数として温度に対して線形に変化する。
【００３６】
図３に示されるように、フィードバックＤＡＣ３０６の出力電流は、バイアス電流に比例するので、バイアス電流のＰＴＡＴ＊ｎの項が与えられるように温度の関数である。上述のように、フィードバック制御経路２４１の他の構成要素の性能は、温度と共に変化し得る。例えば、ダウンコンバータ／増幅器２４８の利得Ｇｍは、温度依存性を有し、量Ｖｂｇ／Ｒ−ＰＴＡＴ＊ｋに比例し得る。ここで、ｋは、ダウンコンバータ／増幅器２４８の物理特性に基づく一定の倍率である。したがって、ダウンコンバータ／増幅器２４８により生成される出力電流も、温度依存性を有し、量Ｖｂｇ／Ｒ−ＰＴＡＴ＊ｋに比例し得る。フィードバックＤＡＣ３０６の出力電流は加算器３０２においてダウンコンバータ／増幅器２４８から減算されるので、ダウンコンバータ／増幅器２４８及び／又はフィードバック制御経路２４１の他の構成要素の温度変動は、倍率ｎに適切な値が選択された場合、相殺され、低減され、又は除去され得る。したがって、フィードバック制御経路２４１の温度に基づく性能を特徴付けることにより、製造者又は他の個人は、ｎの適切な値を選択でき、フィードバック制御経路２４１が温度依存性を殆ど又は全く有しないで動作するようにできる。
【００３７】
本開示の範囲から逸脱することなくシステム１００に対し変更、追加又は省略が行われてもよい。システム１００の構成要素は、統合又は分離されてもよい。さらに、システム１００の動作は更に多くの、更に少ない又は他の構成要素により実行されてもよい。本願明細書で用いられるとき、「各々」は、セットの各要素、又はセットのサブセットの各要素を表す。
【００３８】
本開示は幾つかの実施形態と共に記載されたが、種々の変化及び変更が当業者に提案されてもよい。本発明は、添付の特許請求の範囲に包含される全ての変化及び変更を包含する。
【符号の説明】
【００３９】
２０２  デジタル回路
２０４  ＤＡＣ
２０８  アップコンバータ
２１０  発振器
２１４  ＶＧＡ
２１６  アンテナスイッチ
２１８  アンテナ
２２０  電力増幅器
２２１  受信経路
２２３  デュプレクサ
２２４  ＡＤＣ
２２８  ダウンコンバータ
２３４  ＬＮＡ
２３８  フィルタ
２４１  フィードバック制御経路
２４２  ＲＦカプラ
２４４  ＡＤＣ
２４６  結合ポート
２４７  終端ポート
２４８  ダウンコンバータ／増幅器
２４８  ダウンコンバータ／増幅器
２５４  ＶＧＡ
３０２  バイアス回路
３０４  ループフィルタ
３０６  フィードバックＤＡＣ
３１６  ミラートランジスタ
【図１】
0005778096.tif 000002
【図２】
0005778096.tif 000003
【図３】
0005778096.tif 000004
【図４】
0005778096.tif 000005